(57)【要約】【課題】平面アンテナにおける共振する周波数帯を複数にすることである。【解決手段】マルチバンド平面アンテナ３０は、第１の共振周波数に対応する長さの下辺を有するアンテナエレメント３３１，３４１と、アンテナエレメント３３２，３４２と、連結部３３３，３４３と、を備え、アンテナエレメント３３１，３４１とアンテナエレメント３３２，３４２との間のうち連結部３３３，３４３を除く隙間部３５，３６における前記下辺方向の長さは、前記第１の共振周波数よりも高い共振周波数に対応する長さである。【選択図】図１
2010278586.tif 000002
【特許請求の範囲】
【請求項１】
絶縁体のフィルムと、
前記フィルム上に形成された第１のアンテナ部と、
前記フィルム上に形成され、給電点を挟んで前記第１のアンテナ部に対向して配置された前記第２のアンテナ部と、を備え、
第１のアンテナ部は、
延在方向に第１の共振周波数に対応する長さの辺を有する帯状の第１のアンテナエレメントと、
前記第１のアンテナエレメントと所定距離をおいて平行に配置され、前記第１のアンテナエレメントよりも短い帯状の第２のアンテナエレメントと、
前記第１のアンテナエレメント及び前記２のアンテナエレメントを連結する第１の連結部と、を備え、
前記第１のアンテナエレメント及び前記第２のアンテナエレメントの間のうち、前記第２のアンテナエレメントの前記延在方向の長さに対応する部分から前記第１の連結部を除いた第１の隙間部の前記延在方向の長さは、前記第１の共振周波数よりも高い共振周波数に対応する長さであり、
第２のアンテナ部は、
延在方向に前記第１の共振周波数に対応する長さの辺を有する帯状の第３のアンテナエレメントと、
前記第３のアンテナエレメントと所定距離をおいて平行に配置され、前記第３のアンテナエレメントよりも短い帯状の第４のアンテナエレメントと、
前記第３のアンテナエレメント及び前記４のアンテナエレメントを連結する第２の連結部と、を備え、
前記第３のアンテナエレメント及び前記第４のアンテナエレメントの間のうち、前記第４のアンテナエレメントの前記延在方向の長さに対応する部分から前記第２の連結部を除いた第２の隙間部の前記延在方向の長さは、前記第１の共振周波数よりも高い共振周波数に対応する長さであるマルチバンド平面アンテナ。
【請求項２】
前記第１の隙間部の前記延在方向の長さと、前記第２の隙間部の前記延在方向の長さとは、同じ長さである請求項１に記載のマルチバンド平面アンテナ。
【請求項３】
前記第１の隙間部の前記延在方向の長さと、前記第２の隙間部の前記延在方向の長さとは、
前記第１の共振周波数よりも高い共振周波数の周波数帯における適切なインピーダンスに対応する長さである請求項１又は２に記載のマルチバンド平面アンテナ。
【請求項４】
前記第１のアンテナエレメントと、前記第３のアンテナエレメントとは、
前記第１の共振周波数よりも高い共振周波数における適切な入力インピーダンスに対応する面積を有する請求項１から３のいずれか一項に記載のマルチバンド平面アンテナ。
【請求項５】
前記第１の隙間部の前記延在方向の長さと、前記第２の隙間部の前記延在方向の長さとは、
異なる長さである請求項１に記載のマルチバンド平面アンテナ。
【請求項６】
前記第１の連結部は、
前記延在方向に対応する任意の長さの部分を切り取るための切り取り線を有する、前記第１のアンテナエレメント及び前記第２のアンテナエレメントを連結する連結部から、当該切り取り線を用いて一部分を切り取ることにより作製され、
前記第２の連結部は、
前記延在方向に対応する任意の長さの部分を切り取るための切り取り線を有する、前記第３のアンテナエレメント及び前記第４のアンテナエレメントを連結する連結部から、当該切り取り線を用いて一部分を切り取ることにより作製されている請求項１から５のいずれか一項に記載のマルチバンド平面アンテナ。
【請求項７】
請求項１から６のいずれか一項に記載のマルチバンド平面アンテナと、
前記マルチバンド平面アンテナを介して外部機器と無線通信する通信手段と、
前記通信手段を制御する制御手段と、を備える電子機器。
【発明の詳細な説明】
【技術分野】
【０００１】
本発明は、マルチバンド平面アンテナ、及びマルチバンド平面アンテナを備える電子機器に関する。
【背景技術】
【０００２】
従来、無線通信機能を有するハンディターミナル、ＰＤＡ（Personal Digital Assistant）等の携帯機器が知られている。この携帯機器には、無線通信用のアンテナが搭載されている。
【０００３】
携帯機器に搭載される無線通信用のアンテナとして、シングルバンドの平面アンテナが知られている（例えば、特許文献１、２参照）。
【０００４】
また、シングルバンドの平面アンテナとして、平面板２枚を同一平面上に対向して配置した平面板アンテナが知られている。この平面板アンテナは、各平面板の長さにより決まる一つの共振周波数に共振する。
【先行技術文献】
【特許文献】
【０００５】
【特許文献１】特開２００４−３５６８２３号公報
【特許文献２】特開２００２−５５７３３号公報
【発明の概要】
【発明が解決しようとする課題】
【０００６】
しかし、従来の平面アンテナは、共振周波数帯が一つであるシングルバンドであった。携帯電話通信等、共振周波数帯が複数ある無線通信に対応するため、平面アンテナのマルチバンド化の要請がある。
【０００７】
平面アンテナをマルチバンドにするには、平面アンテナに、異なる周波数に共振する異なる長さの複数の辺を有するアンテナエレメントを設ければよい。ここで、図１８〜図２０を参照して、平面アンテナ５０を考える。図１８に、異なる長さの２辺を有する平面アンテナ５０の概略構成を示す。図１９に、平面アンテナ５０の電流分布を示す。図２０に、平面アンテナ５０の周波数に対するＳパラメータを示す。
【０００８】
図１８に示すように、異なる長さの２辺を有する平面アンテナ５０を考える。平面アンテナ５０は、平面板アンテナである。平面アンテナ５０は、アンテナエレメント５３，５４を備える。アンテナエレメント５３，５４は、給電点Ｐで同軸ケーブルに接続されている。図１８において、平面アンテナ５０のアンテナエレメント５３，５４の基板、給電点Ｐの詳細は、省略されている。
【０００９】
アンテナエレメント５３，５４は、給電点Ｐを挟んで、互いに線対称のＬ字形で平面形状のアンテナエレメントであり、同一平面上に対向して設けられている。アンテナエレメント５３は、下辺５３１と、上辺５３２と、を有する。アンテナエレメント５４は、下辺５４１と、上辺５４２と、を有する。下辺５３１，５４１の長さは、同じ長さであり、その長さを長さＬ５１とする。上辺５３２，５４２の長さは、同じ長さであり、その長さを長さＬ５２とする。また、長さＬ５１，Ｌ５２は、Ｌ５１＞Ｌ５２の関係を有する。
【００１０】
長さＬ５１に対応する周波数ｆ５１と、長さＬ５２に対応する周波数ｆ５２と、の電波を受信する場合の平面アンテナ５０に流れるアンテナ電流をシミュレーションした。長さＬ５１＝λ５１／４（λ５１：電波の波長）とした場合の波長λ５１に対応する周波数をｆ５１とする。長さＬ５２＝λ５２／４（λ５２：電波の波長）とした場合の波長λ５２に対応する周波数をｆ５２とする。ここでは、ｆ５１＝１．５７［ＧＨｚ］、ｆ５２＝１．９１［ＧＨｚ］とした。
【００１１】
そのシミュレーション結果として、周波数ｆ５１と、周波数ｆ５２とで、図１９に示す同じアンテナ電流の電流分布が得られた。図１９において、アンテナ電流の値（Amps／m）が低い→高いとなるにつれて、黒→白となるよう表現されており、以下のアンテナ電流の電流分布の図でも同様である。
【００１２】
また、平面アンテナ５０の周波数に対するＳパラメータの特性をシミュレーションした。Ｓパラメータは、値が小さいほどアンテナが共振していることを示す。このシミュレーション結果は、図２０に示すように、Ｓパラメータの落ち込みが１．５７［ＧＨｚ］の一つであるアンテナ特性を示した。Ｓパラメータの落ち込みが一つであるので、共振する周波数帯も一つであり、平面アンテナ５０は、シングルバンドのアンテナ特性を有する。
【００１３】
以上のように、平面アンテナ５０のように、単純に、異なる長さの２辺を有するアンテナエレメントを設けるだけでは、平面アンテナをマルチバンドにすることができなかった。
【００１４】
本発明の課題は、平面アンテナにおける共振する周波数帯を複数にすることである。
【課題を解決するための手段】
【００１５】
上記課題を解決するために、請求項１に記載の発明のマルチバンド平面アンテナは、
絶縁体のフィルムと、
前記フィルム上に形成された第１のアンテナ部と、
前記フィルム上に形成され、給電点を挟んで前記第１のアンテナ部に対向して配置された前記第２のアンテナ部と、を備え、
第１のアンテナ部は、
延在方向に第１の共振周波数に対応する長さの辺を有する帯状の第１のアンテナエレメントと、
前記第１のアンテナエレメントと所定距離をおいて平行に配置され、前記第１のアンテナエレメントよりも短い帯状の第２のアンテナエレメントと、
前記第１のアンテナエレメント及び前記２のアンテナエレメントを連結する第１の連結部と、を備え、
前記第１のアンテナエレメント及び前記第２のアンテナエレメントの間のうち、前記第２のアンテナエレメントの前記延在方向の長さに対応する部分から前記第１の連結部を除いた第１の隙間部の前記延在方向の長さは、前記第１の共振周波数よりも高い共振周波数に対応する長さであり、
第２のアンテナ部は、
延在方向に前記第１の共振周波数に対応する長さの辺を有する帯状の第３のアンテナエレメントと、
前記第３のアンテナエレメントと所定距離をおいて平行に配置され、前記第３のアンテナエレメントよりも短い帯状の第４のアンテナエレメントと、
前記第３のアンテナエレメント及び前記４のアンテナエレメントを連結する第２の連結部と、を備え、
前記第３のアンテナエレメント及び前記第４のアンテナエレメントの間のうち、前記第４のアンテナエレメントの前記延在方向の長さに対応する部分から前記第２の連結部を除いた第２の隙間部の前記延在方向の長さは、前記第１の共振周波数よりも高い共振周波数に対応する長さである。
【００１６】
請求項２に記載の発明は、請求項１に記載のマルチバンド平面アンテナにおいて、
前記第１の隙間部の前記延在方向の長さと、前記第２の隙間部の前記延在方向の長さとは、同じ長さである。
【００１７】
請求項３に記載の発明は、請求項１又は２に記載のマルチバンド平面アンテナにおいて、
前記第１の隙間部の前記延在方向の長さと、前記第２の隙間部の前記延在方向の長さとは、
前記第１の共振周波数よりも高い共振周波数の周波数帯における適切なインピーダンスに対応する長さである。
【００１８】
請求項４に記載の発明は、請求項１から３のいずれか一項に記載のマルチバンド平面アンテナにおいて、
前記第１のアンテナエレメントと、前記第３のアンテナエレメントとは、
前記第１の共振周波数よりも高い共振周波数における適切な入力インピーダンスに対応する面積を有する。
【００１９】
請求項５に記載の発明は、請求項１に記載のマルチバンド平面アンテナにおいて、
前記第１の隙間部の前記延在方向の長さと、前記第２の隙間部の前記延在方向の長さとは、
異なる長さである。
【００２０】
請求項６に記載の発明は、請求項１から５のいずれか一項に記載のマルチバンド平面アンテナにおいて、
前記第１の連結部は、
前記延在方向に対応する任意の長さの部分を切り取るための切り取り線を有する、前記第１のアンテナエレメント及び前記第２のアンテナエレメントを連結する連結部から、当該切り取り線を用いて一部分を切り取ることにより作製され、
前記第２の連結部は、
前記延在方向に対応する任意の長さの部分を切り取るための切り取り線を有する、前記第３のアンテナエレメント及び前記第４のアンテナエレメントを連結する連結部から、当該切り取り線を用いて一部分を切り取ることにより作製されている。
【００２１】
請求項７に記載の発明の電子機器は、
請求項１から６のいずれか一項に記載のマルチバンド平面アンテナと、
前記マルチバンド平面アンテナを介して外部機器と無線通信する通信手段と、
前記通信手段を制御する制御手段と、を備える。
【発明の効果】
【００２２】
本発明によれば、第１、第３のアンテナエレメントの延在方向の長さに対応する第１の周波数と、第１、第２の隙間部の前記延在方向の長さに対応する共振周波数と、で共振するので、平面アンテナにおける共振する周波数帯を複数にすることができる。
【図面の簡単な説明】
【００２３】
【図１】本発明に係る実施の形態のマルチバンド平面アンテナの平面構成を示す図である。
【図２】（ａ）は、ハンディターミナルの外観構成を示す正面図である。（ｂ）は、ハンディターミナルの外観構成を示す側面図である。
【図３】ハンディターミナルの機能構成を示すブロック図である。
【図４】連結部の一部分の除去前の平面アンテナを示す図である。
【図５】連結部の一部分の除去後のマルチバンド平面アンテナを示す図である。
【図６】実施の形態のマルチバンド平面アンテナにおける電界の状態を示す図である。
【図７】実施の形態のマルチバンド平面アンテナの共振周波数に対応する各部分の長さを示す図である。
【図８】実施の形態のマルチバンド平面アンテナの低い方の共振周波数での電流分布を示す図である。
【図９】実施の形態のマルチバンド平面アンテナの高い方の共振周波数での電流分布を示す図である。
【図１０】実施の形態のマルチバンド平面アンテナの周波数に対するＳパラメータを示す図である。
【図１１】実施の形態のマルチバンド平面アンテナの隙間部の長さが２０．５［ｍｍ］の場合のスミスチャートである。
【図１２】実施の形態のマルチバンド平面アンテナの隙間部の長さが２０［ｍｍ］の場合のスミスチャートである。
【図１３】実施の形態のマルチバンド平面アンテナの隙間部の長さが１６［ｍｍ］の場合のスミスチャートである。
【図１４】実施の形態のマルチバンド平面アンテナに発生するコンデンサ成分を示す図である。
【図１５】実施の形態の変形例のマルチバンド平面アンテナの平面構成を示す図である。
【図１６】変形例のマルチバンド平面アンテナと等価のマルチバンドダイポールアンテナの構成を示す図である。
【図１７】変形例のマルチバンド平面アンテナの周波数に対するＳパラメータと、各共振周波数の電流分布と、を示す図である。
【図１８】異なる長さの２辺を有する従来の平面アンテナの概略構成を示す図である。
【図１９】従来の平面アンテナの電流分布を示す図である。
【図２０】従来の平面アンテナの周波数に対するＳパラメータを示す図である。
【発明を実施するための形態】
【００２４】
以下、添付図面を参照して本発明に係る好適な実施の形態及びその変形例を順に詳細に説明する。なお、本発明は、図示例に限定されるものではない。
【００２５】
図１〜図１３を参照して、本発明に係る実施の形態を説明する。先ず、図１〜図３を参照して、本実施の形態のマルチバンド平面アンテナ３０及びハンディターミナル１の装置構成を説明する。図１に、本実施の形態のマルチバンド平面アンテナ３０の構成を示す。
【００２６】
先ず、図１を参照して、本実施の形態のマルチバンド平面アンテナ３０を説明する。マルチバンド平面アンテナ３０は、２つの共振する周波数帯を有する平衡型アンテナとしてのマルチバンドアンテナである。平衡型アンテナとは、電位の分布が左右対称なアンテナである。
【００２７】
図１に示すように、マルチバンド平面アンテナ３０は、フィルム３１と、アンテナ導体部３２と、を備える。フィルム３１は、ＦＰＣ（Flexible PrintCircuit）のフィルムであり、ポリイミド等の絶縁体により構成されている。アンテナ導体部３２は、フィルム３１上に形成されている銅箔等の平面状の導体により構成されている。
【００２８】
アンテナ導体部３２は、第１のアンテナ部、第２のアンテナ部としてのアンテナ部３３，３４を有する。アンテナ部３３，３４は、それぞれ、半田付けパッド３３４ａ，３４４ａを除き一体に形成されている導体のアンテナ部である。
【００２９】
アンテナ部３３は、第１のアンテナエレメント、第２のアンテナエレメントとしてのアンテナエレメント３３１，３３２と、第１の連結部としての連結部３３３と、接続部３３４と、半田付けパッド３３４ａと、を有する。アンテナ部３４は、第３のアンテナエレメント、第４のアンテナエレメントとしてのアンテナエレメント３４１，３４２と、第２の連結部としての連結部３４３と、接続部３４４と、半田付けパッド３４４ａと、を有する。
【００３０】
アンテナエレメント３３１は、帯状の導体のアンテナエレメントである。アンテナエレメント３３２は、アンテナエレメント３３１と所定距離をおいて、アンテナエレメント３３１の延在方向（長手方向、Ｘ方向）に平行に配置されている導体のアンテナエレメントである。連結部３３３は、アンテナエレメント３３１，３３２の間で、それらの延在方向と垂直な方向（Ｙ方向）に配置され、アンテナエレメント３３１，３３２の端部を連結している導体部である。連結部３３３には、後述するように、切り取り線（ミシン線）が入れられている。接続部３３４は、アンテナエレメント３３１の連結部３３３側の延長上に配置されており、同軸ケーブル４０を接続するための導体部である。半田付けパッド３３４ａは、接続部３３４上に設けられた半田付け用の導体部であり、外部導体４３が半田付けされている。
【００３１】
アンテナエレメント３４１は、帯状の導体のアンテナエレメントである。アンテナエレメント３４２は、アンテナエレメント３４１と所定距離をおいて、アンテナエレメント３４１の延在方向（長手方向、Ｘ方向）に平行に配置されている導体のアンテナエレメントである。連結部３４３は、アンテナエレメント３４１，３４２の間で、それらの延在方向と垂直な方向（Ｙ方向）に配置され、アンテナエレメント３４１，３４２の端部を連結している導体部である。連結部３４３には、後述するように、切り取り線（ミシン線）が入れられている。接続部３４４は、アンテナエレメント３４２の連結部３４３側の延長上に配置されており、同軸ケーブル４０を接続するための導体部である。半田付けパッド３４４ａは、接続部３４４上に設けられた半田付け用の導体部であり、芯線４１が半田付けされている。
【００３２】
アンテナエレメント３３１，３４１のＸ方向の長さは、同じである。アンテナエレメント３３２，３４２のＸ方向の長さは、同じである。また、アンテナエレメント３３１，３３２の間の平面において、アンテナエレメント３３２のＸ方向の長さに対応する部分から連結部３３３を除く矩形部分を、第１の隙間部としての隙間部３５とする。同様に、アンテナエレメント３４１，３４２の間の平面において、アンテナエレメント３４２のＸ方向の長さに対応する部分から連結部３４３を除く矩形部分を、第２の隙間部としての隙間部３６とする。隙間部３５，３６のＸ方向の長さは、同じである。また、アンテナエレメント３３１のＸ方向の長さは、隙間部３５のＸ方向の長さよりも大きい。
【００３３】
同軸ケーブル４０は、後述する無線通信部１６及びＧＰＳ部１７とマルチバンド平面アンテナ３０との間を接続するケーブルである。同軸ケーブル４０は、芯線４１と、絶縁体４２と、外部導体４３と、保護被覆部４４と、を有する。
【００３４】
芯線４１は、軸方向に垂直な面が円形の銅線等の内部導体であり、半田付けパッド３４４ａに半田付けされている。絶縁体４２は、芯線４１と同軸で芯線４１を被覆するポリエチレン等の絶縁体部である。外部導体４３は、芯線４１と同軸で絶縁体４２を被覆する網組み状の銅線等の導体部であり、半田付けパッド３３４ａに半田付けされている。保護被覆部４４は、芯線４１と同軸で外部導体４３を保護被覆するビニル等の絶縁体部である。
【００３５】
同軸ケーブル４０の他端は、無線通信部１６及びＧＰＳ部１７に接続されている。具体的には、同軸ケーブル４０の他端の芯線４１が、無線通信部１６及びＧＰＳ部１７の端子に接続され、同じく外部導体４３が無線通信部１６及びＧＰＳ部１７のグランドに接続されている。無線通信部１６から同軸ケーブル４０を介してマルチバンド平面アンテナ３０に高周波電力が給電される。以下、同軸ケーブル４０と接続部３３４，３４４との接続点を、給電点Ｐとする。
【００３６】
次いで、図２及び図３を参照して、マルチバンド平面アンテナ３０が搭載される電子機器としてのハンディターミナル１を説明する。図２（ａ）に、ハンディターミナル１の正面の外観構成を示す。図２（ｂ）に、ハンディターミナル１の側面の外観構成を示す。図３に、ハンディターミナル１の機能構成を示す。
【００３７】
ハンディターミナル１は、スーパーマーケット、コンビニエンスストア、個人商店等で使用される携帯端末である。ハンディターミナル１は、ユーザ操作による情報の入力機能、情報の記憶機能、バーコードのスキャン等の機能、無線ＬＡＮ（Local Area Network）方式によりアクセスポイントを介して外部機器と無線通信を行う機能、携帯電話通信機能、ＧＰＳ（Global Positioning System）信号を用いた自機の現在位置測定機能等を有する。
【００３８】
図２（ａ）に示すように、ハンディターミナル１は、ケース部２を備える。ハンディターミナル１は、ケース部２の正面に、表示部１４と、各種キー１２Ａと、を備える。図２（ｂ）に示すように、ハンディターミナル１は、ケース部２の両側面に、トリガキー１２Ｂを備え、ケース部２の先端にスキャナ部２１を備える。また、ハンディターミナル１は、ケース部２の内部に、マルチバンド平面アンテナ３０を備える。
【００３９】
ケース部２は、ハンディターミナル１のケース部である。各種キー１２Ａは、数字、文字等の文字入力キー、各種機能キー等である。トリガキー１２Ｂは、スキャナ部２１のバーコードスキャンのトリガ操作入力を受け付けるキーである。各種キー１２Ａは、スキャナ部２１のバーコードスキャンのためのトリガキーを含むこととしてもよい。スキャナ部２１は、レーザ光等の光をバーコードに照射し、その反射光を受光及び二値化することにより、バーコードのデータを読み取る部品である。
【００４０】
図３に示すように、ハンディターミナル１は、内部に、制御手段としてのＣＰＵ（Central Processing Unit）１１と、操作部１２と、ＲＡＭ（Random Access Memory）１３と、表示部１４と、ＲＯＭ（Read Only Memory）１５と、マルチバンド平面アンテナ３０と、通信手段としての無線通信部１６、ＧＰＳ部１７と、アンテナ１８ａと、無線ＬＡＮ通信部１８と、フラッシュメモリ１９と、Ｉ／Ｆ（InterFace）部２０と、スキャナ部２１と、を備える。ＣＰＵ１１、操作部１２、ＲＡＭ１３、表示部１４、ＲＯＭ１５、無線通信部１６、ＧＰＳ部１７、無線ＬＡＮ通信部１８、フラッシュメモリ１９、Ｉ／Ｆ部２０、スキャナ部２１は、バス２２を介して接続されている。
【００４１】
ＣＰＵ１１は、ハンディターミナル１の各部を制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００４２】
ＣＰＵ１１は、各種プログラムとの協働により、操作部１２を介する操作情報の入力を受け付け、ＲＯＭ１５から各種情報を読み出し、フラッシュメモリ１９に各種情報の読み書きを行う。また、ＣＰＵ１１は、各種プログラムとの協働により、無線通信部１６及びマルチバンド平面アンテナ３０を介して、基地局（基地局で中継された外部機器）と通信を行い、マルチバンド平面アンテナ３０及びＧＰＳ部１７を用いて、ハンディターミナル１の現在位置の測定を行う。また、ＣＰＵ１１は、各種プログラムとの協働により、無線ＬＡＮ通信部１８及びアンテナ１８ａを介して、アクセスポイント（アクセスポイントで中継された外部機器）と通信を行い、スキャナ部２１を用いてバーコードのデータを読み取り、Ｉ／Ｆ部２０を介して外部機器と有線通信を行う。
【００４３】
操作部１２は、各種キー１２Ａ、トリガキー１２Ｂを含み、操作者から押下入力された各キーのキー入力信号をＣＰＵ１１に出力する。また、操作部１２は、表示部１４と一体的にタッチパネルのタッチパッドとして構成されることとしてもよい。
【００４４】
ＲＡＭ１３は、情報を一時的に格納する揮発性のメモリであり、実行される各種プログラムやこれら各種プログラムに係るデータ等を格納するワークエリアを有する。表示部１４は、ＬＣＤ（Liquid Crystal Display）、ＥＬＤ（ElectroLuminescent Display）等で構成され、ＣＰＵ１１からの表示信号に従って各種表示を行う。
【００４５】
ＲＯＭ１５は、各種プログラム、各種データが記憶される読み出し専用の記憶部である。
【００４６】
無線通信部１６は、マルチバンド平面アンテナ３０と接続され、マルチバンド平面アンテナ３０を用いた携帯電話通信方式の通信により基地局への情報の送信を行う。本実施の形態では、無線通信部１６を、第三世代携帯電話通信方式であるＷ−ＣＤＭＡ（Wideband Code Division Multiple Access）の周波数分割複振（ＦＤＤ（Frequency Division Duplex））の通信方式の上りで使用する周波数帯域としての１．９［ＧＨｚ］帯の無線通信を行う無線通信部として説明する。無線通信部１６は、マルチバンド平面アンテナ３０から入力されるＷ−ＣＤＭＡの受信電波の電気信号を復調してＣＰＵ１１に出力する。マルチバンド平面アンテナ３０は、ＧＰＳ通信の１．５７［ＧＨｚ］と携帯電話通信方式の１．９［ＧＨｚ］との２つの周波数帯域にマッチングされたマルチバンド平面アンテナである。しかし、これに限定されるものではなく、マルチバンド平面アンテナ３０及び無線通信部１６が、他の携帯電話の無線通信方式の周波数帯域や、携帯電話以外の無線通信方式の無線通信を行う構成としてもよい。
【００４７】
ＧＰＳ部１７は、マルチバンド平面アンテナ３０と接続され、ＧＰＳ通信方式の通信により、マルチバンド平面アンテナ３０を介して、ＧＰＳ衛星から送信される周波数１．５７５［ＧＨｚ］のＧＰＳ信号の電波の受信を行う。また、ＧＰＳ部１７は、受信したＧＰＳ信号を復調してＧＰＳ情報を取得し、当該ＧＰＳ情報から現在のハンディターミナル１０の位置情報（緯度経度情報）を生成してＣＰＵ１１に出力する。
【００４８】
無線ＬＡＮ通信部１８は、アンテナ１８ａと接続され、アンテナ１８ａを介して無線ＬＡＮ通信方式によりアクセスポイントと情報の送受信を行う。
【００４９】
フラッシュメモリ１９は、各種データ等の情報が読み出し及び書き込み可能な記憶部である。
【００５０】
Ｉ／Ｆ部２０は、通信ケーブルを介して外部機器と情報を送受信する。Ｉ／Ｆ部２０は、例えば、ＵＳＢ（Universal Serial Bus）方式の有線通信部である。
【００５１】
スキャナ部２１は、レーザ光等の発光部、受光部、ゲイン回路、二値化回路等を備える。スキャナ部２１において、発光部から出射された光がバーコードに照射され、その反射光が受光部により受光されて電気信号に変換され、その電気信号がゲイン回路により増幅され、二値化回路により白黒のバーコードイメージのデータに変換される。このように、スキャナ部２１は、バーコードイメージを読み取り、そのバーコードイメージのデータをＣＰＵ１１に出力する。
【００５２】
次に、図４及び図５を参照して、マルチバンド平面アンテナ３０の作製時の共振周波数の調整方法を説明する。図４に、連結部の一部分の除去前の平面アンテナ３０Ａを示す。図５に、連結部の一部分の除去後のマルチバンド平面アンテナ３０を示す。
【００５３】
図４及び図５においては、マルチバンド平面アンテナ（平面アンテナ）のフィルムと、同軸ケーブル４０との接続部と、を省略しており、アンテナ導体部及び給電点Ｐのみを示しており、以下の図でも同様である。
【００５４】
マルチバンド平面アンテナ３０の作製工程において、図４に示す平面アンテナ３０Ａが作製される。平面アンテナ３０Ａは、フィルム３１上に形成されたアンテナ部３３Ａ，３４Ａを有する。なお、平面アンテナ３０Ａは、給電点Ｐ（同軸ケーブル４０及びその接続部）を有するものとする。アンテナ部３３Ａは、アンテナエレメント３３１，３３２と、連結部３３３Ａと、を有する。アンテナ部３４Ａは、アンテナエレメント３４１，３４２と、連結部３４３Ａと、を有する。
【００５５】
連結部３３３Ａは、全体的に切り取り線（ミシン線）が入れられており、アンテナエレメント３３１，３３２を連結している導体部である。連結部３３３ＡのＸ方向の長さ（幅）は、アンテナエレメント３３２のＸ方向（延在方向）の長さと同じである。連結部３３３Ａの切り取り線は、アンテナエレメント３３１，３３２と連結部３３３Ａとの境界に入れられているとともに、アンテナエレメント３３１，３３２の延在方向と垂直な方向（Ｙ方向）に複数入れられている。連結部３４３Ａも、連結部３３３Ａと同様に、切り取り線が入れられている。
【００５６】
そして、図５に示すように、連結部３３３Ａのうち、給電点Ｐと逆側のＸ方向の任意の長さ部分が切り取り線で切り取られる。同様に、連結部３４３Ａのうち、給電点Ｐと逆側のＸ方向の任意の長さ部分が切り取り線で切り取られる。このようにして、マルチバンド平面アンテナ３０が作製される。連結部３３３Ａの切り取り部分は、隙間部３５となる。連結部３４３Ａの切り取り部分は、隙間部３６となる。
【００５７】
次に、図６〜図１４を参照して、マルチバンド平面アンテナ３０の動作を説明する。先ず、図６を参照して、マルチバンド平面アンテナ３０における２つの周波数帯での共振を説明する。図６に、マルチバンド平面アンテナ３０における電界の状態を示す。
【００５８】
図６に示すように、平面アンテナ３０Ａは、図１８に示す従来の平面アンテナ５０での説明と同様に、アンテナエレメント３３１（３４１）のＸ方向の長さ（下辺の長さ）に対応する１つの周波数帯で共振するシングルバンドアンテナである。平面アンテナ３０Ａの共振周波数は、アンテナエレメント３３１（３４１）のＸ方向の長さ＝λ１／４（λ１：電波の波長）となる波長λ１に対応する周波数となる。
【００５９】
そして、マルチバンド平面アンテナ３０は、隙間部３５及び３６を有する。マルチバンド平面アンテナ３０において、電波送受信の際に、アンテナエレメント３３１，３３２の間には、隙間部３５を横切る電界Ｅができる。このため、マルチバンド平面アンテナ３０において、隙間部３５のＸ方向の長さをλ２／４とする波長λ２に対応する共振周波数での共振が現れる。同様に、マルチバンド平面アンテナ３０において、隙間部３６のＸ方向の長さをλ２／４とする波長λ２に対応する共振周波数での共振が現れる。このため、マルチバンド平面アンテナ３０は、２つの周波数帯で共振するマルチバンドアンテナとなる。
【００６０】
次いで、図７〜図１０を参照して、マルチバンド平面アンテナ３０における共振を説明する。図７に、マルチバンド平面アンテナ３０の共振周波数に対応する各部分の長さを示す。図８に、マルチバンド平面アンテナ３０の低い方の共振周波数ｆ１でのアンテナ電流の分布を示す。図９に、マルチバンド平面アンテナ３０の高い方の共振周波数ｆ２でのアンテナ電流の分布を示す。図１０に、マルチバンド平面アンテナ３０の周波数に対するＳパラメータを示す。
【００６１】
図７に示すように、マルチバンド平面アンテナ３０のアンテナエレメント３３１（３４１）のＸ方向の長さ（下辺の長さ）を長さＬ１とする。この長さＬ１＝λ１／４（λ１：電波の波長）とした場合の波長λ１に対応する周波数を周波数ｆ１とする。また、マルチバンド平面アンテナ３０の隙間部３５（３６）のＸ方向の長さを長さＬ２とする。この長さＬ２＝λ２／４（λ２：電波の波長）とした場合の波長λ２に対応する周波数を周波数ｆ２とする。周波数ｆ１，ｆ２は、マルチバンド平面アンテナ３０で共振する共振周波数ｆ１，ｆ２である。共振周波数ｆ１＝１．５７［ＧＨｚ］とし、共振周波数ｆ２＝１．９［ＧＨｚ］とする。
【００６２】
また、マルチバンド平面アンテナ３０のアンテナエレメント３３２（３４２）のＸ方向の長さを長さＬ３とする。長さＬ３は、共振には直接関係しない。
【００６３】
ここで、低い方の共振周波数ｆ１の電波を受信した場合のマルチバンド平面アンテナ３０に流れるアンテナ電流をシミュレーションした。そのシミュレーション結果は、図８に示すような電流分布となった。図８に示すように、マルチバンド平面アンテナ３０のアンテナエレメント３３１，３４１に対応する部分に、高いアンテナ電流が流れて共振している。
【００６４】
また、高い方の共振周波数ｆ２の電波を受信した場合のマルチバンド平面アンテナ３０に流れるアンテナ電流をシミュレーションした。そのシミュレーション結果は、図９に示すような電流分布となった。図９に示すように、マルチバンド平面アンテナ３０の隙間部３５，３６の周りに対応する部分に、高いアンテナ電流が流れて共振している。
【００６５】
そして、図１０に示すように、マルチバンド平面アンテナ３０のＳパラメータは、１．５７［ＧＨｚ］と、１．９［ＧＨｚ］との２つの周波数で、落ち込みが見られる。つまり、マルチバンド平面アンテナ３０は、周波数ｆ１，ｆ２で共振するマルチバンドアンテナであることが確認された。
【００６６】
次いで、図１１〜図１３を参照して、マルチバンド平面アンテナ３０における高い方の共振周波数ｆ２のインピーダンス調整を説明する。図１１に、マルチバンド平面アンテナ３０の隙間部３５（３６）の長さＬ２が２０．５［ｍｍ］の場合のスミスチャートを示す。図１２に、マルチバンド平面アンテナ３０の隙間部３５（３６）の長さＬ２が２０［ｍｍ］の場合のスミスチャートを示す。図１３に、マルチバンド平面アンテナ３０の隙間部３５（３６）の長さＬ２が１６［ｍｍ］の場合のスミスチャートを示す。
【００６７】
図１１〜図１３のスミスチャートのインピーダンス測定条件として、マルチバンド平面アンテナ３０の受信電波の共振周波数を２［ＧＨｚ］とした。図１１〜図１３において、マルチバンド平面アンテナ３０において、周波数２［ＧＨｚ］におけるインピーダンスの点をそれぞれ、Ｓ１，Ｓ２，Ｓ３で示す。また、図１１〜図１３のスミスチャートの円の中心点を５０［Ω］とする。
【００６８】
周波数が２［ＧＨｚ］の場合のマルチバンド平面アンテナ３０のインピーダンスを最適なインピーダンス値としての５０［Ω］に合せる。図１１に示すように、長さＬ２が２０．５［ｍｍ］の場合に、周波数２［ＧＨｚ］の点Ｓ１において、マルチバンド平面アンテナ３０のインピーダンスは、７１．４４［Ω］となった。図１２に示すように、長さＬ２が２０［ｍｍ］の場合に、周波数２［ＧＨｚ］の点Ｓ２において、マルチバンド平面アンテナ３０のインピーダンスは、５４．０３［Ω］となった。図１３に示すように、長さＬ２が１６［ｍｍ］の場合に、周波数２［ＧＨｚ］の点Ｓ３において、マルチバンド平面アンテナ３０のインピーダンスは、１０６．０３［Ω］となった。
【００６９】
このように、長さＬ２を変化させることで、高い方の共振周波数ｆ２ａのインピーダンスを変化させることができる。そして、スミスチャートを用い、長さＬ２を２０［ｍｍ］にすることで、マルチバンド平面アンテナ３０のインピーダンスを、高い方の共振周波数２［ＧＨｚ］の周波数帯において理想値としての５０［Ω］付近に調整することができた。この共振周波数２［ＧＨｚ］を、共振周波数ｆ２としても、同様に、共振周波数ｆ２の周波数帯におけるインピーダンスを適切に調整できる。
【００７０】
次いで、図１４を参照して、マルチバンド平面アンテナ３０における低い方の共振周波数ｆ１の入力インピーダンス調整を説明する。図１４に、マルチバンド平面アンテナ３０に発生するコンデンサ成分を示す。
【００７１】
図１４に示すように、マルチバンド平面アンテナ３０におけるアンテナエレメント３３１，３４１には、グランドとの間に、見かけ上のコンデンサ成分としてのコンデンサ３７が発生する。また、アンテナエレメント３３１，３４１の短手方向（Ｙ方向）の長さを、長さＬ４とする。
【００７２】
長さＬ４を大きくすると、コンデンサ３７の導体としてのアンテナエレメント３３１，３４１の面積も大きくなり、コンデンサ３７の静電容量Ｃが大きくなる。コンデンサ３７の静電容量Ｃが大きくなるほど、マルチバンド平面アンテナ３０における共振周波数ｆ１に対応する入力インピーダンスも下がる。
【００７３】
このように、長さＬ４を調整することで、マルチバンド平面アンテナ３０における共振周波数ｆ１の入力インピーダンスを、理想値としての５０［Ω］に調整できる。
【００７４】
以上、本実施の形態によれば、マルチバンド平面アンテナ３０は、フィルム３１上に、給電点Ｐを挟んで対向されたアンテナ部３３，３４を備える。アンテナ部３３は、共振周波数ｆ１で共振するＸ方向の長さＬ１のアンテナエレメント３３１と、アンテナエレメント３３２と、連結部３３３と、を有する。アンテナ部３４は、共振周波数ｆ１で共振するＸ方向の長さＬ１のアンテナエレメント３４１と、アンテナエレメント３４２と、連結部３４３と、を有する。隙間部３５のＸ方向の長さＬ２と、隙間部３６のＸ方向の長さＬ２とは、共振周波数ｆ１より高い共振周波数ｆ２に対応する長さである。
【００７５】
このため、マルチバンド平面アンテナ３０が、アンテナエレメント３３１，３４１の長さＬ１に対応する共振周波数ｆ１と、隙間部３５，３６の長さＬ２に対応する共振周波数ｆ２と、で共振するので、平面アンテナにおける共振する周波数帯を２つにすることができる。
【００７６】
また、隙間部３５，３６の長さＬ２は、共振周波数ｆ２の周波数帯における最適なインピーダンス５０Ω（付近）に対応する長さに調整される。このため、マルチバンド平面アンテナ３０の高い方の共振周波数ｆ２のインピーダンスを適切な値にできる。
【００７７】
また、アンテナエレメント３３１，３４１の面積は、長さＬ４の調整により、最適な入力インピーダンス５０Ω（付近）に対応する面積に調整される。このため、マルチバンド平面アンテナ３０の低い方の共振周波数ｆ１の入力インピーダンスを適切な値にすることができる。
【００７８】
また、マルチバンド平面アンテナ３０は、平面アンテナ３０ＡにおけるＸ方向の任意の長さの一部分を切り取り可能な切り取り線を有する連結部３３３Ａ，３４３Ａから、当該切り取り線を用いて隙間部３５，３６に対応する部分を切り取ることにより作製されている。このため、高い方の共振周波数ｆ２を所望の値に容易に調整できる。また、高い方の共振周波数ｆ２のインピーダンスを適切な値に容易に調整できる。
【００７９】
また、ハンディターミナル１は、マルチバンド平面アンテナ３０、無線通信部１６、ＧＰＳ部１７及びＣＰＵ１１を備える。このため、マルチバンド平面アンテナ３０を用いて、共振する周波数帯を２つ（ＧＰＳ信号の受信とＷ−ＣＤＭＡの送信との周波数帯）にして通信することができる。
【００８０】
（変形例）
図１５〜図１７を参照して、上記実施の形態の変形例を説明する。先ず、図１５及び図１６を参照して、本変形例のマルチバンド平面アンテナ３０Ｂの構成を説明する。図１５に、マルチバンド平面アンテナ３０Ｂの平面構成を示す。図１６に、マルチバンド平面アンテナ３０Ｂと等価のマルチバンドダイポールアンテナ３０Ｃの構成を示す。
【００８１】
本変形例の装置構成は、ハンディターミナル１において、マルチバンド平面アンテナ３０を、マルチバンド平面アンテナ３０Ｂに代えた構成である。このため、主としてマルチバンド平面アンテナ３０Ｂの説明を行う。マルチバンド平面アンテナ３０Ｂは、３つの共振する周波数帯を有する不平衡型アンテナとしてのマルチバンドアンテナである。不平衡型アンテナとは、電位の分布が左右非対称なアンテナである。
【００８２】
上記実施の形態のマルチバンド平面アンテナ３０は、２つの周波数帯で共振するマルチバンドアンテナであった。しかしながら、例えば、マルチバンド平面アンテナとして、ＧＰＳ通信方式と、Ｗ−ＣＤＭＡ方式の上り及び下りとの組合せ等の通信を行うように、３つの周波数帯で共振するトライバンドアンテナの要請がある。このため、マルチバンド平面アンテナ３０Ｂは、トライバンドアンテナとして構成されている。マルチバンド平面アンテナ３０Ｂは、一例として、ＧＰＳ通信の１．５７［ＧＨｚ］帯と、Ｗ−ＣＤＭＡ方式の上りの１．９［ＧＨｚ］帯と、同じく下りの２．１［ＧＨｚ］帯との３つの周波数帯で共振するマルチバンドアンテナとした。
【００８３】
なお、無線通信部１６は、マルチバンド平面アンテナ３０から入力されるＷ−ＣＤＭＡの受信電波の電気信号を復調してＣＰＵ１１に出力するとともに、ＣＰＵ１１等から入力される送信用データの電気信号を変調して、マルチバンド平面アンテナ３０に出力し、Ｗ−ＣＤＭＡの電波を送信させる。
【００８４】
図１５に示すように、マルチバンド平面アンテナ３０Ｂは、フィルム３１（図示略）と、アンテナ導体部３２Ｂと、を備える。アンテナ導体部３２Ｂは、第１のアンテナ部、第２のアンテナ部としてのアンテナ部３３Ｂ，３４Ｂを有する。
【００８５】
アンテナ部３３Ｂは、アンテナエレメント３３１，３３２と、第１の連結部としての連結部３３３Ｂと、接続部及び半田付けパッド（図示略）と、を有する。アンテナ部３４Ｂは、アンテナエレメント３４１，３４２と、第２の連結部としての連結部３４３Ｂと、接続部及び半田付けパッド（図示略）と、を有する。また、アンテナエレメント３３１，３３２の間の平面において、アンテナエレメント３３２のＸ方向の長さに対応する部分から連結部３３３Ｂを除く矩形部分を、第１の隙間部としての隙間部３５Ｂとする。同様に、アンテナエレメント３４１，３４２の間の平面において、アンテナエレメント３４２のＸ方向の長さに対応する部分から連結部３４３Ｂを除く矩形部分を、第２の隙間部としての隙間部３６Ｂとする。
【００８６】
連結部３３３Ｂは、連結部３３３と同様であるが、Ｘ方向の長さが異なる。連結部３４３Ｂは、連結部３４３と同様であるが、Ｘ方向の長さが異なる。同様に、第１の隙間部としての隙間部３５Ｂは、隙間部３５と同様であるが、Ｘ方向の長さが異なる。第２の隙間部としての隙間部３６Ｂは、隙間部３６と同様であるが、Ｘ方向の長さが異なる。
【００８７】
つまり、マルチバンド平面アンテナ３０Ｂは、マルチバンド平面アンテナ３０と同様に、平面アンテナ３０Ａの連結部３３３Ａ，３４３Ａの一部分を切り取って作製される。隙間部３５ＢのＸ方向の長さを、長さＬ２２とする。隙間部３６ＢのＸ方向の長さを、長さＬ２３とする。また、Ｌ２２≠Ｌ２３であり、Ｌ１＞Ｌ２２＞Ｌ２３である。
【００８８】
図１６に示すように、マルチバンド平面アンテナ３０Ｂに等価なマルチバンドダイポールアンテナ３０Ｃは、アンテナエレメント３３１Ｃ，３３２Ｃ，３４１Ｃ，３４２Ｃと、連結部３３３Ｃ，３４３Ｃと、を備える。アンテナエレメント３３１Ｃ（３４１Ｃ）のＸ方向の長さは、長さＬ１である。アンテナエレメント３３２ＣのＸ方向の長さは、長さＬ２２である。アンテナエレメント３４２ＣのＸ方向の長さは、長さＬ２３である。
【００８９】
長さＬ２２＝λ２２／４（λ２２：電波の波長）とした場合の波長λ２２に対応する周波数を周波数ｆ２２とする。また、長さＬ２３＝λ２３／４（λ２３：電波の波長）とした場合の波長λ２３に対応する周波数を周波数ｆ２３とする。周波数ｆ１＝１．５７［ＧＨｚ］とし、共振周波数ｆ２２＝１．９１［ＧＨｚ］とし、共振周波数ｆ２３＝２．１２［ＧＨｚ］とした。
【００９０】
次いで、図１７を参照して、マルチバンド平面アンテナ３０Ｂの動作を説明する。図１７に、マルチバンド平面アンテナ３０Ｂの周波数に対するＳパラメータと、各共振周波数のアンテナ電流分布と、を示す。
【００９１】
図１７に示すように、マルチバンド平面アンテナ３０ＢのＳパラメータは、１．５７［ＧＨｚ］と、１．９１［ＧＨｚ］と、２．１２［ＧＨｚ］と、の３つの周波数で、落ち込みが見られる。つまり、マルチバンド平面アンテナ３０Ｂは、周波数ｆ１，ｆ２２，ｆ２３で共振するマルチバンドアンテナであることが確認された。
【００９２】
また、共振周波数ｆ１，ｆ２２，ｆ２３の電波を受信（又は送信）した場合のマルチバンド平面アンテナ３０Ｂに流れるアンテナ電流をシミュレーションした。そのシミュレーション結果は、図１７に示すような電流分布となった。
【００９３】
図１７に示すように、マルチバンド平面アンテナ３０Ｂの共振周波数ｆ１に対応して、アンテナエレメント３３１，３４１に対応する部分に、高いアンテナ電流が流れて共振している。また、マルチバンド平面アンテナ３０Ｂの共振周波数ｆ２２に対応して、隙間部３５Ｂの周りに対応する部分に、高いアンテナ電流が流れて共振している。また、マルチバンド平面アンテナ３０Ｂの共振周波数ｆ２３に対応して、隙間部３６Ｂの周りに対応する部分に、高いアンテナ電流が流れて共振している。
【００９４】
以上、本変形例によれば、マルチバンド平面アンテナ３０Ｂは、アンテナエレメント３３１，３４１のＸ方向の長さＬ１が、共振周波数ｆ１に対応する長さであり、隙間部３５ＢのＸ方向の長さＬ２２が、共振周波数ｆ１より高い共振周波数ｆ２２に対応する長さであり、隙間部３６ＢのＸ方向の長さＬ２３が、共振周波数ｆ１，ｆ２２より高い共振周波数ｆ２３に対応する長さである。
【００９５】
このため、マルチバンド平面アンテナ３０Ｂが、アンテナエレメント３３１，３４１の長さＬ１に対応する共振周波数ｆ１と、隙間部３５Ｂの長さＬ２２に対応する共振周波数ｆ２２と、隙間部３６Ｂの長さＬ２３に対応する共振周波数ｆ２３と、で共振するので、平面アンテナにおける共振する周波数帯を３つにすることができる。
【００９６】
マルチバンド平面アンテナの３つの共振周波数の周波数帯の組合せは、ＧＰＳ通信の１．５７［ＧＨｚ］、Ｗ−ＣＤＭＡの通信の上り１．９１［ＧＨｚ］、下り２．１［ＧＨｚ］の周波数帯の組合せに限定されるものではなく、他の周波数帯の組み合わせとしてもよい。例えば、マルチバンド平面アンテナが海外の携帯電話通信方式のアンテナとして、ＧＳＭ（Global System for Mobile Communications）の８５０［ＭＨｚ］、９００［ＭＨｚ］、１．８［ＧＨｚ］、１．９［ＧＨｚ］の周波数帯のうちの３つの周波数帯で共振する構成としてもよい。
【００９７】
なお、上記実施の形態及び変形例における記述は、本発明に係るマルチバンド平面アンテナ及び電子機器の一例であり、これに限定されるものではない。
【００９８】
例えば、上記実施の形態（インピーダンス調整等）及び変形例を組合せる構成としてもよい。
【００９９】
また、上記実施の形態及び変形例では、電子機器としてハンディターミナルを用いる構成としたが、これに限定されるものではない。電子機器としては、ＰＤＡ、携帯電話機、ラップトップＰＣ（Personal Computer）等、他の電子機器としてもよい。
【０１００】
また、上記実施の形態及び変形例では、ハンディターミナル１が、マルチバンド平面アンテナ３０及び無線通信部１６を用いた携帯電話通信によるデータ通信機能を有する構成としたが、これに限定されるものではない。例えば、ハンディターミナル１が、スピーカ及びマイクを含む通話部を備え、マルチバンド平面アンテナ３０及び通話部を用いた携帯電話通信による通話機能を有する構成としてもよい。
【０１０１】
また、上記実施の形態及び変形例では、ケース部２側に、マルチバンド平面アンテナ３０のアンテナ導体部３２が面するように配置される構成こととしたが、これに限定されるものではない。例えば、ケース部２側に、マルチバンド平面アンテナ３０のフィルム３１が面するように配置される構成としてもよい。また、フィルム３１の上に設けられたアンテナ導体部３２の上にさらに絶縁体の絶縁層を設ける構成としてもよい。
【０１０２】
また、上記実施の形態及び変形例におけるマルチバンド平面アンテナ３０，３０Ｂと、ハンディターミナル１との各構成要素の細部構成及び細部動作に関しては、本発明の趣旨を逸脱することのない範囲で適宜変更可能であることは勿論である。
【符号の説明】
【０１０３】
１  ハンディターミナル
２  ケース部
１１  ＣＰＵ
１２  操作部
１２Ａ  各種キー
１２Ｂ  トリガキー
１３  ＲＡＭ
１４  表示部
１５  ＲＯＭ
１６  無線通信部
１７  ＧＰＳ部
１８ａ  アンテナ
１８  無線ＬＡＮ通信部
１９  フラッシュメモリ
２０  Ｉ／Ｆ部
２１  スキャナ部
２２  バス
３０，３０Ｂ  マルチバンド平面アンテナ
３０Ａ  平面アンテナ
３０Ｃ  マルチバンドダイポールアンテナ
３１  フィルム
３２，３２Ｂ  アンテナ導体部
３３，３４，３３Ａ，３４Ａ，３３Ｂ，３４Ｂ  アンテナ部
３３１，３３２，３４１，３４２，３３１Ｃ，３３２Ｃ，３４１Ｃ，３４２Ｃ  アンテナエレメント
３３３，３４３，３３３Ａ，３４３Ａ，３３３Ｂ，３４３Ｂ，３３３Ｃ，３４３Ｃ  連結部
３３４，３４４  接続部
３７  コンデンサ
Ｐ  給電点
４０  同軸ケーブル
４１  芯線
４２  絶縁体
４３  外部導体
４４  保護被覆部
５０  平面アンテナ
５３，５４  アンテナエレメント
５３１，５４１  下辺
５３２，５４２  上辺
【図１】
2010278586.tif 000003
【図２】
2010278586.tif 000004
【図３】
2010278586.tif 000005
【図４】
2010278586.tif 000006
【図５】
2010278586.tif 000007
【図６】
2010278586.tif 000008
【図７】
2010278586.tif 000009
【図８】
2010278586.tif 000010
【図９】
2010278586.tif 000011
【図１０】
2010278586.tif 000012
【図１１】
2010278586.tif 000013
【図１２】
2010278586.tif 000014
【図１３】
2010278586.tif 000015
【図１４】
2010278586.tif 000016
【図１５】
2010278586.tif 000017
【図１６】
2010278586.tif 000018
【図１７】
2010278586.tif 000019
【図１８】
2010278586.tif 000020
【図１９】
2010278586.tif 000021
【図２０】
2010278586.tif 000022
【手続補正書】
【提出日】平成21年10月9日(2009.10.9)
【手続補正１】
【補正対象書類名】図面
【補正対象項目名】図１
【補正方法】変更
【補正の内容】
【図１】
2010278586.tif 000023